(57)【要約】【課題】同期信号が重畳された所定形式の信号が入力されるべき複数の信号ラインのうちから、上記所定形式の信号が入力された１つの信号ラインを択一的に選択する入力信号選択装置において、回路製造コスト及び消費電力の削減を図る。【解決手段】上記複数の信号ラインのうち、何れかに信号入力がされた場合に、これら複数の信号ラインを順次選択する動作を行うようにする。そして、このように順次選択される信号ラインを対象として同期信号の検出を行うと共に、この検出結果に基づいた１つの上記信号ラインを固定的に選択する。これにより、上記所定形式の信号が入力された信号ラインを特定するための同期検出回路を、複数の信号ラインに対して共通化することができる。【選択図】        図１
2004320120.tif 000002
【特許請求の範囲】
【請求項１】
同期信号が重畳された所定形式の信号が入力されるべき複数の信号ラインのうちから、１つの信号ラインを択一的に選択する選択手段と、
少なくとも１つの上記信号ラインにおいて信号が入力されたことを検出する信号入力検出手段と、
上記信号入力検出手段が上記信号の入力を検出したのに応じて、上記選択手段において選択される上記信号ラインが順次切り換えられるように制御する順次切換制御手段と、
上記順次切換制御手段の制御によって、上記選択手段にて選択される信号ラインを対象として同期信号の検出を行う同期信号検出手段と、
上記同期信号検出手段の検出結果に基づいて、同期信号が検出された信号ラインのうちから１つの信号ラインが上記選択手段により固定的に選択されるように制御する選択制御手段と、
を備えることを特徴とする入力信号選択装置。
【請求項２】
上記信号入力検出手段と上記同期信号検出手段は、共通の同期信号検出回路を有するとともに、
上記複数の信号ラインから分岐される検出用ラインが共通に接続される共通ラインを上記同期信号検出回路の入力側と接続する第１の信号経路と、上記選択手段により選択された信号ラインの分岐ラインを上記同期信号検出回路の入力側と接続する第２の信号経路とを切換可能なスイッチ手段と、
上記信号入力検出手段が上記信号の入力を検出したのに応じて、上記スイッチ手段により上記第１の信号経路から上記第２の信号経路に切り換えが行われるように制御を実行するスイッチ制御手段とをさらに備える、
ことを特徴とする請求項１に記載の入力信号選択装置。
【請求項３】
上記信号入力検出手段は、
上記複数の信号ラインから分岐される検出用ラインが共通に接続される共通ラインに得られる信号レベルが所定の閾値よりも大きいとされるときに、上記信号ラインに信号が入力されたことを検出するように構成されている、
ことを特徴とする請求項１に記載の入力信号選択装置。
【請求項４】
同期信号が重畳された所定形式の信号が入力されるべき複数の信号ラインのうちから、１つの信号ラインを択一的に選択する選択手段を備えた入力信号選択装置における入力信号選択方法であって、
少なくとも１つの上記信号ラインにおいて信号が入力されたことを検出する信号入力検出手順と、
上記信号入力検出手順により上記信号の入力を検出したのに応じて、上記選択手段において選択される上記信号ラインが順次切り換えられるように制御する順次切換制御手順と、
上記順次切換制御手順によって、上記選択手段にて選択される信号ラインを対象として同期信号の検出を行う同期信号検出手順と、
上記同期信号検出手順の検出結果に基づいて、同期信号が検出された信号ラインのうちから１つの信号ラインが上記選択手段により固定的に選択されるように制御する選択制御手順とを実行する、
ことを特徴とする入力信号選択方法。
【発明の詳細な説明】
【０００１】
【発明の属する技術分野】
本発明は、例えば映像信号が入力されるべき複数の信号ラインのうちから、映像信号の入力された１つの信号ラインを択一的に選択するように構成された入力信号選択装置に関する。また、このような入力信号選択装置における入力信号選択方法に関する。
【０００２】
【従来の技術】
例えば、入力される映像信号を、所要の記録媒体に対して録画することのできる映像録画機器が広く普及している。
このような映像録画機器においては、外部の映像機器からの映像信号を入力するための、外部入力端子が備えられるものがある。そして、このように外部入力端子が備えられた映像録画機器においては、外部の映像機器から映像信号が入力されるのに応じて、自動的にこの映像についての録画を開始する、いわゆる待ち受け録画機能が与えられたものがある。
【０００３】
ところで、上記のように映像録画機器が備える外部入力端子としては、複数系統備えられる場合がある。そして、この場合に、上記のような待ち受け録画を行うとしたときは、接続される複数の映像機器のうち、どの機器が映像出力を行ったかを検知する必要がある。
つまり、複数の外部入力端子のうち、映像信号の入力される端子を正確に選択して録画を行う必要があるものである。
【０００４】
図５は、例えばこのような待ち受け録画の際に、信号が入力された端子を選択するために映像録画機器内に備えられる、入力信号選択回路５０の構成を例示した図である。
先ず、この図に示すように、映像録画機器内に備えられる入力信号選択装置５０としては、外部入力端子Ｔ１〜Ｔｎまでのｎ個の外部入力端子のそれぞれに対応して、ｎ個の同期検出回路（５１−１〜５１−ｎ）が備えられる。
これら同期検出回路５１−１〜５１−ｎは、それぞれ対応する外部入力端子Ｔから入力される信号について、例えばその最小値区間を検出することで、映像信号に重畳された水平同期信号を検出する。
そして、この場合、これら同期検出回路５１−１〜５１−ｎは、映像信号から水平同期信号が正常に検出されていることに応じ、この旨を示す通知信号をマイコン５３のポートＰ１〜Ｐｎに対して出力するように構成されている。
つまりこの場合、これら同期検出回路５０−１〜５０−ｎの検出結果に応じて、対応する端子Ｔに対する入力映像信号の有無を検知するように構成されているものである。
【０００５】
マイコン（マイクロコンピュータ）５３は、例えば内部にＣＰＵ（Ｃｅｎｔｒａｌ  Ｐｒｏｃｅｓｓｉｎｇ  Ｕｎｉｔ）、ＲＯＭ、ＲＡＭ等を備えて、当該映像録画機器の全体制御を行う部位である。
特にこの場合は、図示するｎ個のポートＰ１〜Ｐｎのうち、上記した通知信号が入力されるポートＰを監視する。そして、このポートＰにおいて通知信号が得られた場合は、図示するセレクタ５２において、上記通知信号の入力に対応する入力端子ｔｉを選択するように動作する。
すなわちこの場合、例えばポートＰ２において通知信号が得られた場合は、セレクタ５２の入力端子ｔｉ２を選択するようにされるものである。
【０００６】
このような構成により、例えば外部入力端子Ｔ２に映像信号が得られた場合は、これに対応して先ず同期検出回路５１−２が通知信号をポートＰ２に入力するようにされる。そして、これに応じてマイコン５３は、上記のようにセレクタ５２の入力端子ｔｉ２を選択するようにされる。
これにより、図示する出力端子ｔｏからは、上記のように外部入力端子Ｔ２から入力された映像信号が出力され、この出力が映像信号処理回路に対して供給される。そして、映像信号処理回路に供給された映像信号は、ここにおいて所要の映像信号処理が施され、これによって最終的には上記外部入力端子Ｔ２に得られた映像を録画することができるようになる。
【０００７】
なお、この入力信号選択装置５０のように、入力映像信号の同期信号検出結果に基づいて映像信号の有無を判別する技術については、例えば以下の特許文献に開示されている。
【特許文献１】
特開２０００−１３２９５４
【０００８】
【発明が解決しようとする課題】
このようにして、従来の入力信号選択回路５０においては、待ち受け録画等に際して、複数設けられた外部入力端子Ｔのうちから、映像信号の入力された外部入力端子Ｔを正確に選択して、この入力された映像を録画することが可能とされている。
しかしながら、この図５に示したような従来の入力信号選択回路５０は、以下のような問題点を抱えるものであった。
【０００９】
すなわち、先ず、図５にも示したように、従来の入力信号選択回路５０の構成によっては、外部入力端子Ｔに映像信号が得られたことを検出するための同期検出回路５１を、各外部入力端子Ｔごとに対応して設けなくてはならないものとなる。
そして、この点で、従来の入力信号選択回路５０においては製造コストの削減が図られないものとされていた。
【００１０】
また、図５の従来の構成によれば、このように各外部入力端子Ｔ対応に設けられたそれぞれの同期検出回路５１は、対応する外部入力端子Ｔに映像信号が得られたことを検出できるように、常にＯＮ状態とされている必要があった。
つまり、図５に示す構成においては、図示される同期検出回路５０−１〜５０−ｎの全てに対し、常に電力供給を行っていなければならず、この点で消費電力が浪費されるものであった。
【００１１】
【課題を解決するための手段】
そこで、本発明では上記のような問題点に鑑み、入力信号選択装置として以下のように構成することとした。
すなわち、先ず、同期信号が重畳された所定形式の信号が入力されるべき複数の信号ラインのうちから、１つの信号ラインを択一的に選択する選択手段を備えるようにする。
そして、少なくとも１つの上記信号ラインにおいて信号が入力されたことを検出する信号入力検出手段と、上記信号入力検出手段が上記信号の入力を検出したのに応じて、上記選択手段において選択される上記信号ラインが順次切り換えられるように制御する順次切換制御手段とを備える。
さらに、上記順次切換制御手段の制御によって、上記選択手段にて選択される信号ラインを対象として同期信号の検出を行う同期信号検出手段と、上記同期信号検出手段の検出結果に基づいて、同期信号が検出された信号ラインのうちから１つの信号ラインが上記選択手段により固定的に選択されるように制御する選択制御手段とを備えるようにした。
【００１２】
さらに、本発明では、上記のような入力信号選択装置における入力信号選択方法として、以下のようにすることとした。
つまり、少なくとも１つの上記信号ラインにおいて信号が入力されたことを検出する信号入力検出手順と、上記信号入力検出手順により上記信号の入力を検出したのに応じて、上記選択手段において選択される上記信号ラインが順次切り換えられるように制御する順次切換制御手順を実行する。
その上で、上記順次切換制御手順によって、上記選択手段にて選択される信号ラインを対象として同期信号の検出を行う同期信号検出手順と、上記同期信号検出手順の検出結果に基づいて、同期信号が検出された信号ラインのうちから１つの信号ラインが上記選択手段により固定的に選択されるように制御する選択制御手順とを実行するようにした。
【００１３】
上記本発明によれば、当該入力信号選択装置に備えられた複数の信号ラインのうち、何れかに信号入力がされた場合は、これら複数の信号ラインを順次選択する動作が得られる。そして、このように順次選択される信号ラインを対象として、同期信号の検出が行われるものとなる。つまり、このような同期信号検出の結果から、上記複数の信号ラインごとの上記所定形式の信号の入力の有無が認識されるようになるものである。そして、この検出結果に基づいた１つの上記信号ラインを固定的に選択することで、この信号ラインに入力された上記所定形式の信号を後段に供給しつづけることができる。
このようにして本発明では、順次選択される信号ラインを対象として同期信号検出を行うようにされることから、同期検出のための機能部位を、複数の信号ラインに対して共通化することができるものである。
【００１４】
【発明の実施の形態】
図１は、本発明における第１の実施の形態の入力信号選択装置としての、入力信号選択回路１内部の構成例を示す回路図である。
この図１に示す入力信号選択回路１としては、例えば入力される映像信号を所要の記録媒体に対して録画することのできる、映像録画機器内部に備えられるものとして想定されている。
本実施の形態が想定する映像録画機器としては、図示するように外部入力端子Ｔ１〜Ｔｎまでの複数の外部入力端子Ｔが備えられるものとされる。つまりこの場合の映像録画機器としては、これら外部入力端子Ｔ１〜Ｔｎに対してそれぞれ接続される、複数の外部映像機器が入力する映像信号に対応して録画を行うことが可能に構成されているものである。
【００１５】
また、この映像録画機器としては、上記のように接続される外部映像機器の何れかより映像信号が入力されたことに対応して、この映像信号についての録画動作を開始する、いわゆる待ち受け録画を実行可能に構成されていることとする。
このような待ち受け録画の一般的な動作として、映像録画機器は、例えば先ず、この待ち受け録画を実行させるための操作入力等に応じてスタンバイ状態に移行するようにされる。そして、このようなスタンバイ状態下において、外部入力端子Ｔに信号入力が行われたか否かを監視するようにされる。
その上で、外部入力端子Ｔの何れかに対する信号入力が行われた場合に、通常の動作モードに移行して、この入力信号についての録画を開始するようにされている。
【００１６】
図１において、先ず外部入力端子Ｔ１〜Ｔｎは、それぞれ図示するセレクタ４における入力端子ｔｉ１〜ｔｉｎと接続されており、これによって当該入力信号選択回路１においては、各外部入力端子Ｔ１〜Ｔｎに得られる信号が入力される複数の信号ラインが形成されている。
セレクタ４は、出力端子ｔｏに対して、上記入力端子ｔｉ１〜ｔｉｎを択一的に選択可能なスイッチとして構成される。そして、このセレクタ４は、このような端子切換動作を、図示するマイコン（マイクロコンピュータ）２の制御に基づいて実行する。
また、このセレクタ４における、上記出力端子ｔｏによる出力信号は、図示するように映像録画機器が備える映像信号処理回路に対して供給されるものとされている。
【００１７】
この場合、上記した外部入力端子Ｔ１〜Ｔｎに対応する信号ラインは、図示するように、それぞれ対応する抵抗Ｒ１〜抵抗Ｒｎを介して、スイッチＳＷの端子ｔ３にも分岐して入力されるように構成されている。
つまり、上記外部入力端子Ｔ１〜Ｔｎに対応した各信号ラインは、全て上記スイッチＳＷの端子ｔ３にも分岐して入力されているものである。
【００１８】
スイッチＳＷは、端子ｔ１に対して、上記端子ｔ３と端子ｔ２とを択一的に選択可能に構成されている。
このスイッチＳＷの端子ｔ２は、上記したセレクタ４の出力端子ｔｏに対して接続されている。また、スイッチＳＷの端子ｔ１は、図示する同期検出回路３に対して接続されている。
この際、スイッチＳＷは、当該映像録画機器が上述した待ち受け録画のモードが設定され、スタンバイ状態とされている場合に対応して、端子ｔ３を選択するように制御される。つまり、この図１に示されるスイッチＳＷの接続状態は、このようなスタンバイ状態下に対応するものである。
また、次に説明する同期検出回路３における検出結果に基づいて、上記外部入力端子Ｔに対する映像信号の入力が検知されたことに対応しては、端子ｔ２を選択するように制御される。つまり、このように映像信号の入力が検知され、後述するようにスタンバイ状態が解除された場合には、端子ｔ２が選択されるものである。
なお、このスイッチＳＷにおける端子切換動作は、図示するマイコン２からのスイッチ制御信号ＳＷＣに基づいて行われるものである。
【００１９】
同期検出回路３は、上記スイッチＳＷの端子ｔ１より入力される信号について、例えばその最小値区間を検出する等して、映像信号に重畳されている水平同期信号を検出可能に構成されている。
この場合の同期検出回路３は、このような同期検出の結果に基づいて、上記端子ｔ１を介した入力信号に水平同期信号が正常に得られているか否かについて判定可能に構成されている。そして、この判定結果により、入力信号中に水平同期信号が正常に得られているとされた場合は、図示する通知信号ＳＳをマイコン２に対して出力可能に構成されている。
【００２０】
マイコン２は、内部にＣＰＵ（Ｃｅｎｔｒａｌ  Ｐｒｏｃｅｓｓｉｎｇ  Ｕｎｉｔ）、ＲＯＭ、ＲＡＭ等を備えて、当該入力信号選択回路１が備えられる映像録画機器全体の制御を行う。
特に、この場合のマイコン２としては、例えば上記ＲＯＭ等に格納されたプログラムに基づいた処理動作を実行することにより、本実施の形態としての動作を実現する。
【００２１】
この場合のマイコン２は、上述した待ち受け録画のモードが設定されたスタンバイモード下において、上記同期検出回路３からの通知信号ＳＳが供給されるのに応じ、上記スイッチＳＷを制御して端子ｔ２を選択させる処理を実行するようにされている。
また、これと共に、このように同期検出回路３からの通知信号ＳＳが供給されるのに応じては、セレクタ４の入力端子ｔｉ１〜ｔｉｎまでを順次選択させる制御処理を行うようにされる。
つまり、当該入力信号選択回路１においては、外部入力端子Ｔ１〜Ｔｎの何れかに映像信号が入力され、上記同期検出回路３によって通知信号ＳＳが出力された場合には、スイッチＳＷの端子ｔ２が選択されると共に、セレクタ４のそれぞれの入力端子ｔｉがスキャンされるものとなる。
【００２２】
ここで、上記のようにしてスイッチＳＷの端子ｔ２が選択されることによっては、同期検出回路３に対して、セレクタ４の出力端子ｔｏが接続される状態が得られるものとなる。
そしてこれと共に、上記のようにしてマイコン２の制御によってセレクタ４の入力端子ｔｉ１〜ｔｉｎが順次スキャンされることから、この場合の同期検出回路３に対しては、各外部入力端子Ｔに対応した信号ラインが、順次切り換えられて接続される状態が得られるものとなる。
【００２３】
これにより、同期検出回路３に対し、上記のように外部入力端子Ｔの何れかに入力された映像信号を入力することができるようになる。そして、このように同期検出回路３に映像信号が入力されることに応じては、上述したように、この同期検出回路３からは通知信号ＳＳが出力されるようになる。
【００２４】
マイコン２においては、このように通知信号ＳＳが供給されたタイミングでの、上記セレクタ４に選択させた入力端子ｔｉを認識する処理を行う。
つまり、この場合のマイコン２においては、例えば上記のようにセレクタ４に順次選択させた入力端子ｔｉと、これらの入力端子ｔｉに対応した同期検出回路３からの上記通知信号ＳＳの有無を判別することにより、映像信号の入力のあった入力端子ｔｉ（外部入力端子Ｔ）を特定することができるものである。
そして、このように特定した入力端子ｔｉが、以降、セレクタ４において選択されるように制御すれば、この入力信号が映像信号処理回路に対して供給されるようになり、これにより、この映像録画機器においては、最終的に入力された映像信号が録画されるものとなる。
【００２５】
なお、上記した動作からも理解されるように、この図１の構成においては、先ず、外部入力端子Ｔのうちのいずれかに信号入力のあったことを検知するために、同期検出回路３が使用されることになる。そして、そのうえで、この検出結果により信号入力が検知された後のスキャン動作時にも、外部入力端子Ｔの特定のために再び同期検出回路３が利用される。
つまり、この図１の構成においては、このように信号入力の検知と、信号入力のあった外部入力端子Ｔの特定のために、共通の同期検出回路３が兼用されているものである。
【００２６】
また、上記もしているように、本例では複数の外部入力端子Ｔが備えられることから、これら外部入力端子Ｔの複数に映像信号が入力される場合も考えられる。そして、これに対応しては、これら映像信号が入力された複数の外部入力端子Ｔのうちから、所要の１つの外部入力端子Ｔを選択して録画を行う必要がある。このために、本例の入力信号選択回路１において実際には、複数の外部入力端子Ｔに映像信号が入力された場合は、予め設定された外部入力端子Ｔ１〜Ｔｎについての優先順位に基づいて、所要の１つの外部入力端子Ｔを選択するように動作するものとされている。
【００２７】
このような本実施の形態としての動作を実現するために、マイコン２が実行すべき処理動作について、次の図２に示すフローチャートを用いて説明する。
なお、この図２では、当該映像録画機器に対して、上述した待ち受け録画モードが設定されて、マイコン２がスタンバイ状態とされていることを前提に説明を行う。
先ず、ステップＳ１０１においては、図１に示した外部入力端子Ｔの何れかに対する入力信号の監視を行う。つまり、このステップＳ１０１の処理として、マイコン２は、同期検出回路３からの通知信号ＳＳの入力を監視するようにされる。
この際、スタンバイモードが設定されている状態においては、先にも説明したようにスイッチＳＷの端子ｔ３が選択されるように制御されることから、この場合の同期検出回路３に対しては、各外部入力端子Ｔが接続された状態と同等の状態が得られている。
従って、このステップＳ１０１において、上記のようにしてマイコン２がこの際の同期検出回路３からの通知信号ＳＳの入力を監視することによっては、外部入力端子Ｔの何れかに対する信号入力があったことを監視できるものである。
このステップＳ１０１において、このように同期検出回路３からの通知信号ＳＳが入力され、外部入力端子Ｔの何れかに対する入力信号があったとされた場合は、ステップＳ１０２に進む。
【００２８】
ステップＳ１０２においては、スタンバイ状態を解除する。
つまり、この場合は当該映像録画機器における、上述した待ち受け録画としての録画動作を開始するために、マイコン２が、スタンバイ状態から通常の起動状態に移行するように、自身の設定を変更する。
【００２９】
ステップＳ１０２におけるスタンバイ状態の解除処理を実行すると、続くステップ１０３において、スイッチＳＷの端子ｔ２を選択させる処理を実行する。
つまり、先にも説明したように、このスイッチＳＷの端子ｔ２を選択させることで、セレクタ４の出力端子ｔｏと、同期検出回路３とが接続される状態が得られるようにするものである。
【００３０】
ステップＳ１０４以降においては、図１において説明した、入力端子ｔｉについてのスキャン動作を実現するための処理動作を実行する。
先ず、ステップＳ１０４においては、選択すべき入力端子ｔｉの端子番号として、ｍ＝１を設定する。
そして、続くステップＳ１０５においては、設定された入力端子ｔｉの端子番号ｍに基づいた入力端子ｔｉｍをセレクタ４に選択させる。すなわち、このようにステップＳ１０４からステップＳ１０５に処理が進められた場合には、セレクタ４において入力端子ｔｉ１が選択されるようになるものである。
【００３１】
ステップＳ１０６においては、同期検出回路３において同期信号が正常に検出されたか否かを判別する。すなわち、このステップＳ１０６の処理としては、同期検出回路３によって、入力信号から正常に同期信号が検出されたことに応じて出力される、通知信号ＳＳの入力の有無を判別する。
【００３２】
このステップＳ１０６の判別処理において、同期検出回路３からの上記通知信号ＳＳの入力があり、同期検出回路３において同期信号が正常に検出されたとした場合は、ステップＳ１０７に処理を進めて、現在の入力端子ｔｉｍの情報を保持するようにされる。
すなわち、このように同期検出回路３において同期信号が正常に検出されたということは、ステップＳ１０５において選択させた入力端子ｔｉｍに対して映像信号が入力されていたということになるから、この際のセレクタ４において選択させた入力端子ｔｉｍの情報を保持しておくようにするものである。
一方、ステップＳ１０６において、同期検出回路３からの上記通知信号ＳＳの入力がなく、同期検出回路３において同期信号が正常に検出されなかったとした場合は、ステップＳ１０８に処理を進める。
【００３３】
ステップＳ１０８においては、セレクタ４に対して、全ての端子番号ｍの入力端子ｔｉを選択させたか否かを判別する。
そして、セレクタ４に対して全ての入力端子ｔｉを未だ選択させていないと判別した場合は、ステップＳ１０９に進み、設定すべき端子番号ｍの値を１インクリメントする。さらに、このようにステップＳ１０９において端子番号ｍの値を１インクリメントすると、再び先のステップＳ１０５に処理を進めて、この設定した端子番号ｍに基づいた入力端子ｔｉｍを選択させる。
つまり、このようにしてステップＳ１０９からステップＳ１０５に処理が進められることによって、セレクタ４の入力端子ｔｉが順次選択されていくようになる。そして、先に説明したこのステップＳ１０５以降の処理が実行されることによって、このように順次選択される入力端子ｔｉのうち、どの入力端子ｔｉ（すなわち外部入力端子Ｔ）に映像信号が入力されたのかが認識されるようになるものである。
【００３４】
一方、ステップＳ１０８において、セレクタ４に対して全ての入力端子ｔｉを選択させたと判別した場合は、ステップＳ１１０に処理を進めて、上記ステップＳ１０７において保持された入力端子ｔｉｍの情報から、優先順位に基づいた１つの入力端子ｔｉｍを決定する。
すなわち、このステップＳ１１０の処理が実行されることにより、例えば複数の外部入力端子Ｔに対して映像信号が入力され、これによって上記ステップＳ１０７にて複数の入力端子ｔｉｍの情報が保持された際に、優先順位に基づいた１つの入力端子ｔｉｍのみを決定することができるものである。
【００３５】
ステップＳ１１１においては、上記のように優先順位に基づいて決定された１つの入力端子ｔｉｍを、セレクタ４に対して選択させる。すなわち、この入力端子ｔｉｍに映像信号が入力されている間は、この入力端子ｔｉｍが固定的に選択されるように、セレクタ４を制御するものである。
そして、これにより、図１に示した映像信号処理回路に対して、この入力端子ｔｉｍに入力されている映像信号を供給することが可能となって、最終的にこの映像信号を所要の記録媒体に対して録画データとして記録することが可能となる。
【００３６】
なお、この図２に示す処理動作によっては、外部入力端子Ｔ１〜Ｔｎのうちの何れかに映像信号が入力された場合は、常にセレクタ４の全ての入力端子ｔｉ１〜ｔｉｎがスキャンされるものとなる。
つまり、外部入力端子Ｔの複数に信号が入力された場合に、これら信号入力のあった全ての外部入力端子Ｔを特定可能とするために、セレクタ４の全ての入力端子ｔｉ１〜ｔｉｎをスキャンするようにされているものである。
このことから、本例においては、例えば複数の入力端子ｔｉに信号が入力された場合の優先順位が、どのように設定された場合にも、この優先順位に従った１つの入力端子ｔｉを選択することができることとなる。
そして、これによって、上記のような優先順位をユーザが任意に設定した場合にも対応可能となるものである。
【００３７】
しかしながら、この際、このような優先順位が、そのままセレクタ４における入力端子ｔｉの端子番号の順となるように設定しておけば、上記のようにセレクタ４に全ての入力端子ｔｉを選択させなくとも、優先順位に基づいた１の入力端子ｔｉを選択させることが可能となる。
つまり、この場合は、入力端子ｔｉ１〜ｔｉｎの順がそのまま入力端子の優先順位となるから、上記のように入力端子ｔｉ１から順にスキャンを行っていって、同期信号が検出された入力端子ｔｉを、以降においてそのまま固定的に選択させれば、優先順位の最も高い入力端子ｔｉを選択できたことになる。
そして、これによって、上記したスキャン時にセレクタ４に全ての入力端子ｔｉを選択させる必要がなくなって、この際の動作負担を軽減することが可能となる。
【００３８】
このようにして、本実施の形態の入力信号選択回路１によっては、いわゆる待ち受け録画動作として、スタンバイ状態下において外部入力端子Ｔの何れかに対して映像信号が入力されるのに応じ、この映像信号が入力された外部入力端子Ｔを、セレクタ４に正確に選択させることが可能となる。そして、これによって、入力された映像信号を、映像録画機器において最終的に録画データとして記録させることが可能となる。
【００３９】
ここで、本例の入力信号選択回路１において、このような待ち受け録画としての動作を実現するにあたっては、先の図１の説明からも理解されるように、同期検出回路３を外部入力端子Ｔの数に関わらず１つのみとすることが可能なものである。
つまり、先にも説明したように本例においては、外部入力端子Ｔの何れかに映像信号の入力があった場合に対応して、この入力のあった外部入力端子Ｔを、セレクタ４の入力端子ｔｉをスキャンすることにより特定するようにしたことから、このような入力信号を検知するための同期検出回路を、複数の信号ラインに対して共通化して１つとすることが可能となったものである。
これによって、本例の入力信号選択回路１によっては、従来の構成のように、各外部入力端子Ｔに対応して同期検出回路３を複数設ける必要がなくなり、この結果、回路構成部品の削減を図ることが可能となる。
【００４０】
また、このように、映像信号の入力検知用の同期検出回路３を１つのみとすることが可能となることによっては、従来の構成のように、複数の同期検出回路に対して電力を供給する必要がなくなるので、回路消費電力を大幅に削減することが可能となる。
【００４１】
ここで、本例のように、入力信号選択回路１が映像録画機器の内部に備えられるとした場合、図１に示した同期検出回路３としては、この映像録画機器に対して元々備えられている同期検出回路を兼用することが想定される。
そしてこの際、このように映像録画機器に備えられる同期検出回路としては、通常、水平同期信号の検出機能以外にも、例えば水平・垂直同期分離機能等の他の機能も有するＩＣとして構成されるものである。
【００４２】
このような映像録画機器が備える、同期検出回路における消費電力の一例としては、例えば約１５０ｍＷ程度とされている。
つまり、このことから、上記のように本例の構成により省略可能となった同期検出回路について、これを１つ省略するごとに、約１５０ｍＷ程度の回路消費電力の削減を図ることが可能となる。
【００４３】
また、上記説明からも理解されるように、図１に示した本例の構成では、信号入力の検知を行うにあたって、同期検出回路３を用いるものである。そして、図２に示した動作からもわかるように、本例では、この同期検出回路３において入力信号に同期信号が正常に検出された場合にのみ、この入力信号が映像信号処理回路に供給されて、この信号についての録画が可能となるものである。
つまり、この場合、映像信号以外の信号が入力された場合には、マイコン２によってこの信号が入力された端子が選択されないものとなり、これによって、映像信号以外の信号が入力された場合に、この信号が当該映像録画機器において誤って録画されてしまうことが効果的に防止されるものとなる。
【００４４】
なお、第１の実施の形態の構成としては、上記図１に示した構成に限定されるものではなく、他の構成が考えられる。
特に、上記図１では、同期検出回路３への入力を、外部入力端子Ｔに対する入力信号が検知されることに応じてセレクタ４の出力に切り換えるための部位として、スイッチＳＷを構成するものとしたが、これに代え、例えばこのスイッチＳＷと同等の端子構成によるリレースイッチを用いるようにしてもよい。
この場合、マイコン２が出力するスイッチ制御信号ＳＷＣに応じて、上記リレースイッチのリレーを導通させるように制御する。そして、このリレースイッチとしては、このリレーが非道通状態にあるときには端子ｔ３を選択し、導通状態にあるときは端子ｔ２を選択するものを用いるようにする。
これによって、上記スイッチＳＷと同様に、入力信号が検知されてスイッチ制御信号ＳＷＣが出力されることに応じ、端子ｔ２を選択して同期検出回路３への入力をセレクタ４の出力に切り換えることが可能となる。
【００４５】
ここで、このような同期検出回路３への入力切換動作を実現するために、先の図１に示した構成においては、スイッチＳＷに対して常に電力が供給される必要があった。すなわち、このようなスイッチＳＷとしては、いわゆる電子スイッチが用いられ、ここには動作電源が供給される必要があったものである。
これに対し、リレースイッチを用いる場合は、上記説明によれば、入力信号が検知されずマイコン２からスイッチ制御信号ＳＷＣが出力されていない間は、上記リレーが非道通状態となるように制御されるものとなる。つまり、このことから、このようにリレースイッチを用いた場合は、マイコン２が信号入力を監視しているスタンバイ状態時において、上記スイッチＳＷに相当する部位での電力消費がゼロとなり、この結果、回路消費電力のさらなる削減が図られるものとなる。
【００４６】
ところで、上記で説明したように、この図１の構成においては、外部入力端子Ｔの何れかに対する信号入力の有無を、同期検出回路３を用いて検知するようにされるものである。すなわち、この場合の同期検出回路３としては、信号入力の検知のために、待ち受け録画モードが設定されたスタンバイ状態下に入力される信号に対応して常に動作可能とされている必要がある。
このことから、図１の構成によっては、同期検出回路３が常にＯＮ状態とされている必要があり、このために、この同期検出回路３に対して常に電力供給を行うようにされるものである。
【００４７】
しかしながら、この同期検出回路３としては、先にも述べたように水平・垂直同期分離機能等の他の機能も備えられることが想定されており、その消費電力が他の回路部よりも比較的大きなものとされる。
従って、このような同期検出回路３に対する電力供給量は、なるべく削減できた方が好ましい。
【００４８】
そこで、上記のような入力信号の検知動作を、同期検出回路３を用いて行わないようにし、スタンバイ状態時における同期検出回路３への電力供給を不要とすることによってさらなる回路消費電力の削減を図ったものが、第２の実施の形態である。
図３は、このような第２の実施の形態としての入力信号選択回路１０の内部構成例を示した回路図である。
なお、この図３において、既に図１にて説明した部分については同一の符号を付して説明を省略する。
【００４９】
先ず、この場合、外部入力端子Ｔ１〜Ｔｎからセレクタ４の対応する入力端子ｔｉ１〜ｔｉｎへと接続される各信号ラインは、それぞれ分岐して対応する抵抗Ｒ１〜Ｒｎを介して、コンパレータ１１に対して入力される。
このコンパレータ１１は、図示する基準電圧Ｖｒｅｆのレベルと、上記外部入力端子Ｔから得られる入力信号のレベルとを比較した結果、入力信号レベルが基準電圧Ｖｒｅｆを上回った場合に、マイコン２に対してＨレベルの通知信号ＣＳを出力するように構成されている。
【００５０】
この場合、上記基準電圧Ｖｒｅｆとしては、映像信号のレベルに対応したレベルが設定されるべきものとされる。
すなわち、このコンパレータ１１においては、上記入力信号のレベルが、このような映像信号に対応したレベルを上回ったことに対応して、上記通知信号ＣＳをマイコン２に対して出力するようにされているものである。
そして、これによって、映像信号であるとみなされる信号が入力された場合に対応して、上記通知信号ＣＳが出力されるようにして、マイコン２において信号入力が検知されるようにしているものである。
【００５１】
また、この場合の同期検出回路３は、このようにしてマイコン２において信号入力が検知されたことに応じた、このマイコン２による制御信号に基づいて起動するように構成されている。つまり、ここでの同期検出回路３としては、このように信号入力が検知されてはじめて起動するようにされているものである。
この場合、同期検出回路３に対して供給される入力信号としては、図示するように、セレクタ４の出力端子ｔｏから出力される信号のみが供給されるように構成されている。
すなわち、この場合の同期検出回路３としては、先に説明したマイコン２の制御による各入力端子ｔｉについてのスキャン時に、セレクタ４から出力される信号についてのみ、同期信号検出、及びこの検出結果に応じた通知信号ＳＳの出力を行うようにされているものである。
【００５２】
このような第２の実施の形態としての構成に対応するために、この場合のマイコン２としては、次の図４に示す処理動作を実行するようにされている。
なお、この図においても、当該映像録画機器に対して待ち受け録画モードが設定されて、マイコン２がスタンバイ状態とされていることを前提に説明を行うものとする。
【００５３】
先ず、ステップＳ２０１においては、外部入力端子Ｔの何れかに対する入力信号の監視を行う。
このステップＳ２０１の処理として、この場合は、コンパレータ１１からの通知信号ＣＳの入力を監視する。
つまり、上記のようにコンパレータ１１に対する入力信号のレベルが基準電圧Ｖｒｅｆのレベルを上回ったことをもって、外部入力端子Ｔに入力信号があったものとするものである。
なお、この場合、本来入力が想定される信号は映像信号であるから、例えば映像信号区間のレベルは、輝度等に応じて変動する。また、水平／垂直の同期信号区間は負極性となる。このため、例えば基準電圧Ｖｒｅｆのレベルは映像信号区間に対応した適切なレベルが設定されればよいが、この場合には、上記した理由によって、映像信号の継続入力に応じて定常的に通知信号ＣＳが出力されない可能性がある。そこで、このステップＳ２０１の処理の実際としては、入力信号の有無についての誤検知を防止するために、例えば通知信号ＣＳが一定期間内に所定数以上得られたような場合にも、信号入力が行われたと判別するようにすればよい。あるいは、例えばコンパレータ１１の信号入力端子の前段に積分回路（ローパスフィルタ）を備えて、この積分回路によって高周波成分の信号レベルの変動を吸収して直流化し、コンパレータ１１においては、この積分回路の出力と基準電圧Ｖｒｅｆとを比較する構成とすることも考えられる。なお、この際の積分回路としてもアナログ回路により形成すれば、電力の消費が抑えられる。
このステップＳ２０１において、コンパレータ１１からの通知信号ＣＳが入力され、外部入力端子Ｔの何れかに対する入力信号があったとされた場合は、ステップＳ２０２に進む。
【００５４】
ステップＳ２０２においては、スタンバイ状態を解除する。
つまり、上記のように入力された、コンパレータ１１からの通知信号ＣＳに応じて、スタンバイ状態から通常の起動状態に移行するように、自身の設定を変更するものである。
【００５５】
続くステップ２０３においては、同期検出回路３がＯＮとなるように制御処理を実行する。すなわち、上述もしたように、第２の実施の形態では、ここにおいてはじめて同期検出回路３の電力供給が開始されるものである。
【００５６】
続くステップＳ２０４以降においては、先の図２に示したステップＳ１０４以降の処理と同様の処理を実行するものとなる。
つまり、セレクタ４の入力端子ｔｉ１〜ｔｉｎまでを順次選択させていき、この間に同期検出回路３からの通知信号ＳＳの入力あった入力端子ｔｉの端子番号（ｍ）の情報を保持する。そして、入力端子ｔｉを全てスキャンした後に、このように保持された入力端子ｔｉの端子番号ｍの情報に基づいて、１つの入力端子ｔｉが固定的に選択されるようにセレクタ４を制御するものである。
【００５７】
このようにして、第２の実施の形態では、コンパレータ１１の比較結果により、外部入力端子Ｔの何れかに得られた入力信号のレベルが、基準電圧Ｖｒｅｆとしての、映像信号のレベルに対応したレベル以上で得られたとされたことをもって、マイコン２が起動するようにされている。
そして、このように起動したマイコン２の制御によってはじめて、同期検出回路３が起動されるようになっている。
【００５８】
これにより、上記のように信号入力が検知されてマイコン２が起動するまでは、同期検出回路３のオフ状態を維持することができるものとなる。
つまり、このことから、第２の実施の形態の入力信号選択回路１０においては、この同期検出回路３の消費電力を、図１の構成と比較してより削減できるようになるものである。
【００５９】
ところで、第２の実施の形態の回路では、上記のように映像信号の入力の検知を、コンパレータ１１における比較結果に基づいて行うようにされているが、このようなコンパレータ１１を用いた検知では、同期検出回路３を用いた映像信号の検知を行う場合よりも、その信頼性が低いものとなってしまう。
しかしながら、第２の実施の形態としても、このように信号入力が検知された後に、同期検出回路３による入力信号についての同期検出は行っており、最終的にはその検出結果に基づいて、セレクタ４の対応する端子を選択させるか否かがマイコン２によって判別されるものとなる。
このことから、この第２の実施の形態の回路においても、映像信号以外の信号が入力された場合に、この信号が誤って記録されてしまうことを防止することが可能とされているものである。
【００６０】
なお、上記各実施の形態では、本発明の入力信号選択装置が対応する所定形式の信号が、映像信号とされる場合を例に挙げたが、この他、例えば映像信号における水平同期信号に相当するような同期信号が重畳される信号であれば本発明を好適に適用できる。
【００６１】
【発明の効果】
以上のように本発明では、同期信号が重畳された所定形式の信号が入力されるべき複数の信号ラインのうちから、１つの信号ラインを択一的に選択する選択手段を備える入力信号選択装置において、これら複数の信号ラインのうち、何れかに信号入力がされた場合に、これら複数の信号ラインを順次選択する動作を行うようにしている。
そして、このように順次選択される信号ラインを対象として同期信号の検出を行うと共に、この検出結果に基づいた１つの上記信号ラインを固定的に選択するようにしている。
つまり、このように順次選択される信号ラインを対象として同期信号の検出を行うことにより、上記複数の信号ラインごとの上記所定形式の信号の入力の有無が認識できるようになるものである。
【００６２】
これにより、本発明においては、複数の信号ラインのうちの上記所定形式の信号の入力のあった信号ラインを特定するにあたり、上記のように順次選択される信号ラインにおける上記所定形式の信号の入力の有無を認識するための、少なくとも１つの同期検出回路が備えられればよいものとなる。
そして、この結果、上記本発明によっては、従来のように各端子対応に同期検出回路を設けなくとも、信号入力のあった信号ラインを正確に選択してこのラインに得られる信号の入力を行うことが可能となる。
【００６３】
このようにして、各端子対応に同期検出回路を設ける必要がなくなることにより、従来の構成と比較して、部品点数の削減、及び製造コストの大幅な削減を図ることが可能となる。
【００６４】
また、このようにして各端子対応に同期検出回路を設ける必要がなくなることにより、従来のようにこれら複数の同期検出回路に対して電力供給を行う必要がなくなり、これによって消費電力を大幅に削減することも可能となる。
【図面の簡単な説明】
【図１】本発明における、第１の実施の形態としての入力信号選択装置内部の構成例を示す回路図である。
【図２】第１の実施の形態の入力信号選択装置において得られる動作を示すフローチャートである。
【図３】第２の実施の形態としての入力信号選択装置内部の構成例を示す回路図である。
【図４】第２の実施の形態の入力信号選択装置において得られる動作を示すフローチャートである。
【図５】従来の入力信号選択装置内部の構成例を示す回路図である。
【符号の説明】
１、１０  入力信号選択回路、２  マイコン、３  同期検出回路、４  セレクタ、１１  コンパレータ、Ｔ１〜Ｔｎ  外部入力端子、
【図１】
2004320120.tif 000003
【図２】
2004320120.tif 000004
【図３】
2004320120.tif 000005
【図４】
2004320120.tif 000006
【図５】
2004320120.tif 000007